Podtech/llm-jp-corpus-v4-ja_patent huggingface dataset:
(57)【要約】      （修正有）【課題】ガイドの配置方法で感度を向上させ、ルアーなどを投げた時の飛距離が低下しないガイド付き釣竿を提供する。【解決手段】ガイド付き釣竿の先の部分のガイドの位置を左右交互にし、釣り糸を真っすぐに張った時にガイドの内側の側面に触れるくらいに配置することにより、感度を飛躍的に向上させ、投げた時の飛距離も変わらないガイドのセッティングを特徴とする。【選択図】図１
0003232915.tif 000002
【実用新案登録請求の範囲】
【請求項１】
ガイド付き釣竿の先の部分のガイドの位置を左右交互にし、釣り糸を真っすぐに張った時にガイドの内側の側面に触れるくらいに配置することにより、感度を飛躍的に向上させ、投げた時の飛距離も変わらないガイドのセッティングを特徴とする釣具。
【考案の詳細な説明】
【考案の概要】
【考案が解決しようとする課題】
【０００１】
ガイド付き釣竿の感度をブランクスの性能に求めていたものを、ガイドの配置方法で釣り糸を保持するようにし感度を上げる。なおかつ仕掛けやルアーなどを投げた時の飛距離の低下もないようにする。
【課題を解決するための手段】
【０００２】
釣竿のガイドは、一直線にきれいに配置することが良いとされてきたのを、竿の先の部分のガイドの配置を図１から図4のように左右互い違いにし、ラインを通した時にスラロームを描くように取り付ける。その時のガイドの角度はガイドの内径によって変わってくるが、釣り糸を真っすぐに張った時にガイドの内側の側面に触れるくらいが望ましい。このガイドの配置方法により釣り糸との摩擦抵抗ができルアーや仕掛けを投げた時に飛距離が低下すると思われがちだが、釣り糸は投げるときには波打ちながら放出されていくので、ガイドの角度は少々きつくても飛距離は変わらない。
スピニングロッド、ベイトキャスティングロッド、スパイラルガイドシステムの穂先部分に有効だが、スパイラルガイドシステムにおいては感度は向上するが、ガイドシステムの性質上、飛距離の低下と糸ヨレの発生はしてしまう。
【考案の効果】
【０００３】
釣りを行っているときに、発生する魚のアタリや底の状態の振動（これを竿の感度という）が向上する。
スピニングロッド、ベイトキャスティングロッドの先の部分にジグザグにガイドを配置すると、同じブランクス、同じグリップ、同じガイドの竿でも感度が向上しルアーなどを投げる飛距離も低下することはありません。スパイラルガイドシステムでは釣り糸がよれてしまったり、スパイラルにすることにより釣り糸の放出抵抗が大きくなり飛距離が落ちてしまいますが、感度は向上します。
実験データ図５参照
【図面の簡単な説明】
【０００４】
【図１】図1はジグザグガイドシステムの竿先の正面図です。
【図２】図2はジグザグガイドシステムの竿先の背面図です。
【図３】図３はジグザグガイドシステムの竿先の右側面図です。
【図４】図４はジグザグガイドシステムの竿先の左側面図です。
【図５】図５はジグザグガイドシステムの竿先の上面図です。
【図６】図６は、スピニングロッドとベイトロッドでそれぞれ同じ条件(ブランクス、グリップ、ガイドの大きさ、ガイドの数、ガイドの設置場所を一緒にしてあります）で製作し、ガイドの設置する角度だけを、普通のまっすぐなガイドシステムとジグザグガイドシステムに変えて、RION社製  振動計測器  VM-54 で計測したデータです。
【考案を実施するための形態】
【０００５】
竿のガイドを取り付けるときに、竿の先の部分のガイドを左右交互にスラロームを描くように取り付ける。その時の左右に振るガイドの角度は釣り糸を真っすぐに張った時にガイドの内側の側面に触れるくらいが望ましい。従来のまっすぐに取り付けたガイドの場合は釣り糸が重力によりガイドの内側の地上側に触れている状態だが、ジグザグに配置することで釣り糸との接点を強くし、釣り糸をガイドが保持することになり感度が向上する。
図1から図４参照
【実施例】
【０００６】
スピニングロッド、ベイトキャスティングロッドの先の部分にジグザグにガイドを配置すると、同じブランクス、同じグリップ、同じガイドでも飛躍的に感度が向上する。、実験の結果では1.5倍から1.7倍の感度の向上がみられた。
スパイラルガイドシステムのロッド以外では飛距離の低下もみられず釣りをしているときのトラブルも従来品と変わらない。
【産業上の利用可能性】
【０００７】
ガイド付き釣竿はブランクスにグリップとガイドを付けるということでできていますが、近年技術の発展とともに各社釣り竿の性能が拮抗している中、同じ材料を使用して製作しても、このジグザグガイドシステムを採用することで性能を向上させることができる。
【図１】
0003232915.tif 000003
【図２】
0003232915.tif 000004
【図３】
0003232915.tif 000005
【図４】
0003232915.tif 000006
【図５】
0003232915.tif 000007
【図６】
0003232915.tif 000008
【手続補正書】
【提出日】令和3年5月12日(2021.5.12)
【手続補正１】
【補正対象書類名】実用新案登録請求の範囲
【補正対象項目名】全文
【補正方法】変更
【補正の内容】
【実用新案登録請求の範囲】
【請求項１】
ガイド付き釣竿のガイドの位置を左右交互にし、釣り糸を真っすぐに張った時にガイドの内側の側面に触れるくらいに配置することを特徴とする釣具。
(57)【要約】      （修正有）【課題】カン付きダウンショットシンカーと、ハリス止め付きダウンショットシンカーとの、どちらの機能を持つ、隙間のない螺旋形状の結束する部分を有するハリス止めシンカーとしてもカン付きシンカーとしても使える釣り具のダウンショットシンカーを提供する。【解決手段】シンカーの上部に、ワイヤーで隙間のない螺旋形状のものを作って片方の先をシンカーに固定し、片方は糸Ｌを引っ掛けやすいように、少し螺旋の円周より出っ張らせる。螺旋形状部分は円であるため、カン付きのシンカーとして使える。糸Ｌをカンに２回以上通して、その糸Ｌを出っ張らせたワイヤーに引っ掛けて、道糸とともに引っ張るとハリス止めとして使用できる。【選択図】図５
0003232918.tif 000002
【実用新案登録請求の範囲】
【請求項１】
釣り具のシンカー（おもり）の種類でダウンショットシンカーがあります、最近は仕掛けが多種多様になり、ダウンショットシンカーの中でも種類があり、その中のカン付きダウンショットシンカーと、ハリス止め付きダウンショットシンカーどちらもの機能を持つ、隙間のない螺旋形状の結束する部分を有するハリス止めシンカーとしてもカン付きシンカーとしても使える特徴を持つ発明。
【考案の詳細な説明】
【考案の概要】
【考案が解決しようとする課題】
【０００１】
近年、ルアーフィッシングにおいて、シンカー（釣り用のおもり）の使い分けが多種多様になってきました。
仕掛けによってシンカーを使い分けるのですが、ダウンショットシンカー（上部に糸などを結んで使われるおもり）において、シンカーの上部にハリス止めが装着されているもの（図2）、糸を直接結んだり糸を通して使用したりするカンが装着されているもの（図1）があります。
その二種類を重さごとに多数持ち歩くのは大変なので、二種類のシンカーの役割を一つにし、荷物を減らしたい。
【課題を解決するための手段】
【０００２】
シンカーの上部に、ワイヤーで隙間のない螺旋形状のもの（図3、図4参照）を作って、一方をシンカーに固定できるようにし、もう一方の端は糸を引っ掛けやすいように、螺旋の円周より出っ張らせておく。
ワイヤーの形は螺旋の円であるため、カン付きのシンカーとして使えます。
さらに、糸をカンに２回以上通して、その糸を引っ掛けやすいように出っ張らせたワイヤーに引っ掛けて、道糸とともに引っ張るとハリス止めとして使用できる（図5参照）。
【考案の効果】
【０００３】
このシンカーを使用することによって、2種類持ち歩いていたシンカーを一つにまとめて荷物が半分になり、整理整頓も容易になる。
今までのハリス止めでは、機構上、金属のかしめた隙間に挟んで止めていたので、細い糸は切れてしまうことがあったが、このスプリングの機構では挟みこんで止める糸と同じ糸で締めることにより止まっている（図5参照）ので細い糸にも優しく切れる事が少なくなります。
【図面の簡単な説明】
【０００４】
【図１】一般的なカン付きダウンショットシンカーの図。
【図２】一般的なハリス止め付きダウンショットシンカーの図。
【図３】カン付形状でハリス止めとしても使える釣り用シンカーの螺旋形状がわかる図。
【図４】カン付形状でハリス止めとしても使える釣り用シンカーの表面と裏面の図。
【図５】カン付形状でハリス止めとしても使える釣り用シンカーの糸を通してハリス止めとして使用する時の説明図。
【考案を実施するための形態】
【０００５】
シンカー上部の糸とつなぐ部分を、針金を螺旋状に巻き上部は二重以上巻いたもので作成する（図5参照）。
【実施例】
【０００６】
カン付形状でハリス止めとしても使える釣り用シンカーを使うことによって、今までのシンカーと違い荷物が半分で済み、二種類のものが一つになるので整理もしやすく、スピーディーに仕掛けを作ることができる。
【産業上の利用可能性】
【０００７】
釣り人に便利なものを、使ってもらうことで釣りに集中し楽しんでもらい、釣り文化の発展につながります。
【符号の説明】
【０００８】
図５の符号”L”は釣り糸（ライン）を表してます。
図5の矢印は釣り糸をシンカーに固定するためにワイヤーに挟んで引っ張る方向を表してます。
【図１】
0003232918.tif 000003
【図２】
0003232918.tif 000004
【図３】
0003232918.tif 000005
【図４】
0003232918.tif 000006
【図５】
0003232918.tif 000007
【手続補正書】
【提出日】令和3年5月12日(2021.5.12)
【手続補正１】
【補正対象書類名】実用新案登録請求の範囲
【補正対象項目名】全文
【補正方法】変更
【補正の内容】
【実用新案登録請求の範囲】
【請求項１】
釣り具のダウンショットシンカーであって、カン付きダウンショットシンカーと、ハリス止め付きダウンショットシンカーどちらもの機能を持つ、隙間のない螺旋形状の結束する部分を有するハリス止めシンカーとしてもカン付きシンカーとしても使える特徴を持つダウンショットシンカー。
(57)【要約】      （修正有）【課題】歩行中に膝関節が過度に屈曲する患者に対して、１歩行周期中の遊脚終期に膝関節の伸展を補助できる膝関節伸展補助具を提供する。【解決手段】膝関節伸展補助具は、患者の大腿部に取り付ける周径の調整可能な大腿部カフバンド１に、療法士が把持するパイプ状の握りとその両側の円筒形のスポンジ材が一体となるプーリー２が回転できるように固定される。プーリー２には伸縮性ベルト３が巻かれ、膝関節の前方を通り下腿部に取り付ける周径の調整可能な下腿部カフバンド４に固定される。療法士が把持するプーリー２を手関節の掌屈によりプーリー２に巻かれた伸縮性ベルト３が巻き上げられ、下腿部カフバンド４を介して膝関節に伸展補助力を伝える。【選択図】図１
0003232914.tif 000002
【実用新案登録請求の範囲】
【請求項１】
歩行の介助を必要とする患者の大腿部に取り付けた持ち手を療法士が後方より把持し、手関節の掌屈により持ち手のプーリーから下腿部に繋がる伸縮性ベルトが巻き上げられ、ベルトに張力を加え膝関節の伸展を促す膝関節伸展補助具。
【考案の詳細な説明】
【技術分野】
【０００１】  本考案は、歩行の介助を必要とする患者の下肢に取り付けた伸縮性ベルトの療法士の巻き上げ操作により、患者の膝関節の伸展を促す膝関節伸展補助具である。
【背景技術】
【０００２】  脳卒中後の後遺症により異常歩行を呈する患者は多く、その歩容は脳の損傷程度や回復の状態により多岐にわたる。Ｄｅ  Ｑｕｅｒｖａｉｎらによれば、歩行速度の遅い脳卒中患者の代表的な歩容の一つとして１歩行周期にわたり膝関節を約２０〜３０度屈曲に固定すると報告している（非特許文献１）。Ｐｅｒｒｙらによれば、正常歩行において観察肢が遊脚中期には膝関節が約６０度屈曲した後に遊脚終期に約５度屈曲まで伸展し踵から初期接地すると報告している。膝関節が伸展した状態で踵から初期接地することで、立脚期に足部のロッカー機能が利用できエネルギー消費を抑えた効率の良い歩行が可能になる（非特許文献２）。一方、遊脚終期に膝関節が過度な屈曲の状態では踵からの初期接地が困難になる。また脳卒中患者は効率の悪い歩行を続けることで、その歩容を誤学習していまいパターン化される。それゆえに、脳卒中後の回復過程において療法士による歩容の修正は重要である。療法士による介助歩行に使用する補装具として、バネによる膝関節の伸展補助機構を有する長下肢装具（特許文献１）や弾性バンド（非特許文献３）などが以前より使用されている。しかし、脳卒中患者の歩行練習中に後方から歩行の介助を行う療法士が必要なタイミングに任意で膝関節の伸展を補助する簡便な補装具はない。またモーターを内蔵し電子制御により膝関節の可動を制御する長下肢装具の開発も進んでいる（特許文献２、３）。しかし、これら電子制御の長下肢装具は高額で数ヶ月の回復期間中に患者専用に作製されることはない。
【先行技術文献】
【特許文献】
【０００３】
【特許文献１】特表２０１５−５２１５０５
【特許文献２】特開２０２０−１７８７３０
【特許文献３】実開平０６−００３３０９
【非特許文献】
【０００４】
【非特許文献１】  Ｄｅ  Ｑｕｅｒｖａｉｎ，ｅｔ  ａｌ．Ｇａｉｔ  Ｐａｔｔｅｒｎ  ｉｎ  ｔｈｅ  Ｅａｒｌｙ  Ｒｅｃｏｖｅｒｙ  Ｐｅｒｉｏｄ  ａｆｔｅｒ  Ｓｔｒｏｋｅ．Ｊ  Ｂｏｎｅ  Ｊｏｉｎｔ  Ｓｕｒｇ  Ａｍ  １９９６；７８（１０）：１５０６−１５１４
【非特許文献２】  Ｐｅｒｒｙ  Ｊ，ｅｔ（著），武田功，弓岡光徳，森彩子ら（監修）．ペリー歩行分析−正常歩行と異常歩行．第２版．東京：医歯薬出版株式会社，２０１２：９−１０９
【非特許文献３】  中谷  知生ら．歩行補助具Ｔ−Ｓｕｐｐｏｒｔの装着が脳卒中片麻痺者の歩行動作に及ぼす影響．日本義肢装具学会誌，２０１８：３４（３）２３０−２３３
【考案の概要】
【考案が解決しようとする課題】
【０００５】  歩行中に過度に膝関節の屈曲がする患者に対して、後方から歩行の介助を行う療法士の補助具の操作により遊脚終期に膝関節の伸展を補助できるようにする。
【課題を解決するための手段】
【０００６】  本考案は、歩行の介助を必要とする患者の大腿部に取り付けた持ち手を療法士が後方より把持し、手関節の掌屈により持ち手のプーリーから下腿部に繋がる伸縮性ベルトが巻き上げられ、ベルトに張力を加え遊脚終期に膝関節の伸展を促す。
【考案の効果】
【０００７】  患者の歩行中に後方から歩行の介助を行う療法士の伸縮性ベルトの巻き上げ操作により、１歩行周期中の遊脚終期に膝関節の伸展を補助できることで、踵から初期接地を促しエネルギー消費を抑えた効率の良い歩行の学習が可能になる。
【図面の簡単な説明】
【０００８】
【図１】本考案の膝関節伸展補助具を患者の右下肢に取り付けた図である。
【図２】プーリーの図である。
【考案を実施するための形態】
【０００９】  大腿部に取り付ける面ファスナーにより周径の調整可能な大腿部カフバンドに、療法士が把持する直径３ｃｍ×幅１０ｃｍのパイプ状の握りとその両側に直径７ｃｍ×幅３ｃｍ円筒形のスポンジ材が一体となるプーリー（図２）が、回転できるように折り返し面ファスナーをパイプ内に通して固定される。プーリーには３ｃｍ幅の伸縮性ベルトが巻かれ、膝関節の前方を通り下腿部に取り付ける周径の調整可能な下腿部カフバンドに固定される。療法士が把持するプーリーを手関節の最大背屈から最大掌屈する約９０度の可動範囲で、プーリーに巻かれた伸縮性ベルトは約５ｃｍ巻き上げられ下腿部カフバンドを介して膝関節に伸展補助力を伝える。
【符号の説明】
【００１０】１  大腿部カフバンド
２  プーリー
３  伸縮性ベルト
４  下腿部カフバンド
５  折り返し面ファスナー
６  療法士の右手
【図１】
0003232914.tif 000003
【図２】
0003232914.tif 000004
【手続補正書】
【提出日】令和3年3月18日(2021.3.18)
【手続補正１】
【補正対象書類名】実用新案登録請求の範囲
【補正対象項目名】全文
【補正方法】変更
【補正の内容】
【実用新案登録請求の範囲】
【請求項１】
大腿部カフバンドに取り付けられた折り返し面ファスナーのベルトを両側にプーリーを固定した筒状のプーリー回転軸に通すことで、大腿部の前面にプーリーが回転する状態で固定され、プーリーに巻かれた伸縮性ベルトの先端が膝関節の前方を沿い下腿部カフバンドに固定される構造の膝関節伸展補助具。
(57)【要約】      （修正有）【課題】口腔内を長時間にわたりウイルス及び雑菌からの抗菌を可能にし、会話、咳、くしゃみ、によるウイルス及び雑菌等の飛沫感染を防止するシートを提供する。【解決手段】天然義歯吸着シートに柿タンニン溶液３を塗布浸透乾燥させたシート２であり、口腔内に挿入し抗菌させるシート２を細い短冊状に裁断し、上唇の内側または下唇の内側のそれぞれの長さにあわせて裁断する。口腔内を水または唾液で十分に湿らせ、裁断されたシート２を上顎歯茎前面部分と上唇の内側との間に和紙面が上顎歯茎前面部分にそうように向け挿入、また下顎歯茎前面部分と下唇の内側の間に和紙面が下顎歯茎前面部分にそうように向け挿入する。挿入後口を閉じ、水または唾液をシート２に浸透させ口腔内に吸着安定させる。口腔内の挿入感は有るが、シート２の吸着力により通常の飲食、会話は可能で有る。シート２を容易に残留物なく完全除去することができる。【選択図】図１
0003232912.tif 000002
【実用新案登録請求の範囲】
【請求項１】
天然義歯吸着シート（特許第６８０８９８）に柿タンニン溶液をシートに塗布浸透乾燥させた、抗菌効果の有るシート。
【請求項２】
請求項１のシートを口腔内に挿入しシートの吸着力により定着させ長時間抗菌できる事で、会話、咳、くしゃみ、によるウイルス及び雑菌等の飛沫感染を防止する事ができる。
【考案の詳細な説明】
【技術分野】
【０００１】本考案は、天然義歯吸着シート（特許第６８０８９８）（以下単にシートという）に柿タンニン溶液を塗布したシートで口腔内をウイルス及び雑菌等を抗菌させるものである。
【背景技術】
【０００２】従前から柿タンニンを様々な水溶液、食品等に添加し口腔内をウイルス及び雑菌等を抗菌しているが継続的に保つ事が困難で有る。
【考案の概要】
【考案が解決しようとする課題】
【０００３】口腔内を常時長時間にわたりウイルス及び雑菌等の抗菌する事を可能にする。
【課題を解決するための手段】
【０００４】柿タンニン溶液をシートに塗布浸透乾燥させる（以下単にシート２という）。
【考案の効果】
【０００５】シート２を口腔内に挿入し長時間抗菌する事が出来、会話、咳、くしゃみによるウイルス及び雑菌等の飛沫感染を防止する事ができる。
【考案を実施するための形態】
【実施例】
【０００６】シート２を細い短冊状に裁断し、口腔内の上顎歯茎の前面部分と下顎歯茎の前面部分に合わせた長さにそれぞれ裁断する。【０００７】口腔内を水または唾液で十分に湿らせ裁断されたシート２を上顎歯茎前面部分と上唇の内側との間に和紙面が上顎歯茎前面部分にそうように向け挿入、また下顎歯茎前面部分と下唇の内側の間に和紙面が下顎前面部分にそうように向け挿入する。【０００８】挿入後口を閉じ、少量の水または唾液をシート２に浸透させ口腔内に吸着安定させる。【０００９】口腔内の挿入感は有るがシート２の吸着力により通常の飲食、会話は可能で有る。【００１０】シート２の吸着力だけで保持させているため、シートを容易に残留物なく完全除去することができる。
【図面の簡単な説明】
【００１１】
【図１】シート２の断面拡大図
【符号の説明】
【００１２】  １  和紙
２  オーガニックコットン
３  柿タンニン
【図１】
0003232912.tif 000003
【手続補正書】
【提出日】令和2年12月7日(2020.12.7)
【手続補正１】
【補正対象書類名】実用新案登録請求の範囲
【補正対象項目名】請求項１
【補正方法】変更
【補正の内容】
【請求項１】
天然の素材であるオーガニックコットン・楮・を柿タンニン溶液で溶いた本蕨粉液で接合させた天然義歯吸着シートに高濃度の柿タンニン溶液を全体に塗布浸透乾燥させた柿渋抗菌シート。
【手続補正２】
【補正対象書類名】明細書
【補正対象項目名】００１１
【補正方法】変更
【補正の内容】
【００１１】
【図１】本考案の柿渋抗菌シートの断面拡大図
【手続補正３】
【補正対象書類名】明細書
【補正対象項目名】００１２
【補正方法】変更
【補正の内容】
【００１２】
【符号の説明】
１  オーガニックコットンを未晒のまま綾織りにしその両面に起毛加工を施した布
２  上記の布の起毛部
３  本蕨粉ゲル
４  楮を未晒のまま漉いた和紙
５  シート全体に浸透塗布された柿タンニン
【手続補正４】
【補正対象書類名】図面
【補正対象項目名】全図
【補正方法】変更
【補正の内容】
【図１】
0003232912.tif 000004
【手続補正書】
【提出日】令和3年3月19日(2021.3.19)
【手続補正１】
【補正対象書類名】実用新案登録請求の範囲
【補正対象項目名】全文
【補正方法】変更
【補正の内容】
【実用新案登録請求の範囲】
【請求項１】
柿タンニン溶液をシートに塗布浸透乾燥させた、抗菌効果の有るシート。
【手続補正２】
【補正対象書類名】明細書
【補正対象項目名】００１１
【補正方法】変更
【補正の内容】
【００１１】
【図１】シート２の断面拡大図
【手続補正３】
【補正対象書類名】明細書
【補正対象項目名】００１２
【補正方法】変更
【補正の内容】
【００１２】
【符号の説明】
１  和紙
２  オーガニックコットン
３  柿タンニン
【手続補正４】
【補正対象書類名】図面
【補正対象項目名】全図
【補正方法】変更
【補正の内容】
【図１】
0003232912.tif 000005
(57)【要約】      （修正有）【課題】マスクの衛生面・健康面・快適性・長寿命化を改善するマウスパットを提供する。【解決手段】手作りマスク本体１に取付けるためのプラスチックスナップボタン３を有する長方形の木綿製パットであるマスクパット２であって、本体とマスクパットにプラスチックスナップボタンを付けて取外し可能にする。取外して洗えるマウスパットに口や鼻を当てることによってマスク本体を清潔に保つことができる。【選択図】図１
0003232997.tif 000002
【実用新案登録請求の範囲】
【請求項１】
手作り立体マスク本体に綿製パットをプラスナップで取り付け、簡単にマスク本体から取り外し可能としとしたマスクパットであり、手軽に取り外しできるので、頻繁に手洗いすることで快適かつ衛生的に使用できるところを特徴とするヘルシーマスクパット。
【考案の詳細な説明】
【技術分野】
【０００１】  本考案は、マスク本体とマスクパットにプラスナックを付けて、取り外し可能にしたマスクパットに関するものである。
【背景技術】
【０００２】  マスクは本体に直接口と鼻を当てて使用しているので、洗えるマスクでも本体が汚れると捨てていた。通常は一つのマスクを一日中使用しているので夕方までに汚れと臭いが染みついてしまう。
【考案の概要】
【考案が解決しようとする課題】
【０００３】  衛生面では、マスクの長時間使用はマスク本体に汚れ（鼻水、食べ物、口紅等）や臭いが付いてしまい、マスク内環境が悪化して不衛生で不快感や抵抗感もある。洗えるマスクを洗った場合、乾くまで使用できないので清潔なマスクを使用する場合は新しいマスクの取り替えになる。
健康面では、特に空気が乾燥して風邪の流行する冬季は、周囲の汚染物質（粉塵やウィルス）の体内吸収を予防することが大切になる。
経済面では、洗えるマスクでも汚れがシミになれば使い捨てになるため、消費コストがかかる。
本件の考案は、上記の問題点を解決しようとする課題である。
【課題を解決するための手段】
【０００４】  本案件は、マスク本体の顔面側にマスクパットを取付ける。取付け方法は、本体とパットにプラスナップを付けて取外し可能にする。取り外して洗えるマウスパットに口や鼻を当てることによってマスク本体を清潔に保つことができる。
マスク使用中でもマウスパットは手洗いして片手で絞ることで直ぐに装着できるので清潔で湿った状態での使用が可能になり、前述の問題点を解決しようとするものである。
【考案の効果】
【０００５】  本品は、使用中でも頻繁にパットを外して石鹸水で洗い、片手で絞るだけでウェットされた状態でマスク本体に取付けて使用できる。
このことによって下記の改善点が得られる。
・衛生面、健康面、快適性、経済性（長寿命化）で改善が図れる。
・湿ったパットは声帯へ湿気が与えられるので声の養生になる。
・マスク本体とパットの生地が重なるので目が細かくなり、吸気による汚染物質の体内吸収を減少させる効果が期待される。
・マスクをしての激しいスポーツでは、パットを唇や歯で噛むと外れずに使用できる。
・マスクパットに少量のアロマオイルをつけると快適性が向上する。
【図面の簡単な説明】
【０００６】
【図１】本考案の取り外し簡単なヘルシーマスクパットの一実施例を示すマスク内側（顔面側）の平面図である。
【図２】本考案の取り外し簡単なヘルシーマスクパットの一実施例を示すマスク外側の平面図である。
【考案を実施するための形態】
【０００７】  マスクパットは吸水性と通気性の良い生地を用いて制作する。２枚折りした長方形の３辺を端部から１ｃｍのところで縫い、返し口からひっくり返し、周囲を２ｍｍ幅で縫う（ステッチ）ことにより２枚重ねの丈夫で吸湿性の良いパットを制作することができる。パット左右の中央位置とマスク本体側にプラスナップを取付ける。
以上でマウスパットは簡単に取り外し可能となり、丈夫なので繰り返し使用することが可能になる。
【実施例】
【０００８】  マスク使用時は、手洗いの度にマスクパットも一緒に洗うので湿った状態でマスク本体に取付けて直ぐ使用している。また、コロナ禍でのマスクをしながらの動きの激しいスポーツをする場合などは、パットの下部を歯で噛むか唇で挟むなどして外れないように使用することができる。マスクパットに少量のアロマオイルをつけると良い香りを保つこともできる。
手入れについては、マスク本体も洗える生地を使っているので、その日の就寝前に少量の中性洗剤を加えた水か温水で手洗いして清潔な状態を保って保管している。
【符号の説明】
【０００９】  １．  マスク本体
２．  マスクパット
３．  プラスナップ
【図１】
0003232997.tif 000003
【図２】
0003232997.tif 000004
【手続補正書】
【提出日】令和3年3月25日(2021.3.25)
【手続補正１】
【補正対象書類名】実用新案登録請求の範囲
【補正対象項目名】全文
【補正方法】変更
【補正の内容】
【実用新案登録請求の範囲】
【請求項１】
手作りマスク本体に取付けるためのプラスチックスナップボタンを有する綿製パットであるマスクパット。
【手続補正２】
【補正対象書類名】明細書
【補正対象項目名】０００１
【補正方法】変更
【補正の内容】
【０００１】本考案は、手作りマスク本体と長方形の綿製マスクパットにプラスチックスナップボタンを付けて、取り外し可能にしたマスクパットに関するものである。
【手続補正３】
【補正対象書類名】明細書
【補正対象項目名】０００４
【補正方法】変更
【補正の内容】
【０００４】本考案は、マスク本体の顔面側に長方形の木綿製マスクパットを取り付ける。
取り付け方法は、本体とマスクパットにプラスチックスナップボタンを付けて取外し可能にする。取外して洗えるマウスパットに口や鼻を当てることによってマスク本体を清潔に保つことができる。
マスク使用中でもマウスパットは手洗いして片手で絞ることで直ぐに装着できるので清潔で湿った状態での使用が可能になり、前述の問題点を解決しようとするものである。
(57)【要約】      （修正有）【課題】菌やウィルスなどへの接触の恐れのあるつり革や手すりなどを直接触れることなく使用でき、手軽で衛生的であり、ファッションアイテムとしても日常的に使用可能なハンドカバーを提供する。【解決手段】手の平程のサイズの横方向半分に切り目の入った布地に手首程のサイズのひも状の固定具が連結されており、使用時に布地を広げ手の平に当て、使用時以外は接する布地の内側を折り手首に巻き付けることが可能であり、ひも状の固定具３と同じ布地部分にボタン状固定具２を有し、反対側布地側面に着脱自在で調節可能な固定具を有し、その両端は着脱自在に接合可能である。【選択図】図１
0003232995.tif 000002
【実用新案登録請求の範囲】
【請求項１】
表面と裏面からなる手の平を覆うことが出来る程度のサイズの布地と、手首に固定する着脱自在な固定具と手首に巻きつけた後に固定する結合自在な固定具を有するハンドカバーであって、
前記布地の一端に着脱自在な固定具を、もう一端にはひも状の固定具が連結されており、表面には前記ひも状の固定具と結合自在な固定具を有し、
手首に着衣し前記ひも状の固定具と前記ひも状の固定具と結合自在な固定具を結合させ環状とすることで、手首に固定した状態で容易に形状変化が可能なハンドカバー。
【請求項２】
前記布地の裏面に指の方向に切り目が入っていて、使用時に布地を広げ表面を手の平に当て、使用時以外は裏面の切り目部分で内側に折り手首に巻き付けることが可能であることを特徴とする請求項１および請求項２に記載のハンドカバー。
【考案の詳細な説明】
【技術分野】
【０００１】    本考案は、手に巻きつける機能を設けた、ハンドカバーに関するものである。
【背景技術】
【０００２】菌やウィルスなどへの接触の恐れのあるつり革や手すり等に直接手で触れることに抵抗のある人はハンカチや手袋をカバンから取り出し手をカバーしていた。
【先行技術文献】
【特許文献】
【０００３】実用新案登録第３２２７４４６号公報
【特許文献１】
【特許文献２】
【非特許文献】
【０００４】実用新案登録第３２２７６７９号公報
【非特許文献１】
【非特許文献２】
【考案の概要】
【考案が解決しようとする課題】
【０００５】ハンカチや手袋は、使用後につり革等に触れた不衛生な面に触らずにいることが難しく、バッグに収納する袋を持参するなどの必要があり出し入れに手間がかかった。また、使用時以外に活用方法はなく荷物として負担になっていた。従って、ハンドカバー機能とファッションアイテム機能を一体化することにより、衛生的かつ日常的に使用可能なものとなり前述の欠点を解決しようとするものである。
【課題を解決するための手段】
【０００６】本考案は、表面と裏面からなる手の平を覆うことが出来る程度のサイズの布地と、手首に固定する着脱自在な固定具と手首に巻きつけた後に固定する結合自在な固定具を有するハンドカバーである。
これを使用するときは、接合されているボタン状固定具とひも状固定具を外し、折り畳まれた布地を開き手の平にあてて吊革等不衛生な部分に使用する。使用後は、布地を切れ目に沿って折り畳み手首に巻きつけることで出し入れをスムーズにし、問題を解決している。
【考案の効果】
【０００７】上記のように使用後は不衛生となった部分が内側に折り畳まれるため手首に触れる心配がなく、バッグや袋から出し入れする手間もなくなる。そして使用後は手首に巻いてファッションアイテムの一つとなるため荷物として負担にもならない。さらに固定具には非帯電性の素材を用いれば静電気の発生を防止する効果も得ることが出来る。
【図面の簡単な説明】
【０００８】
【図１】本考案のハンドカバーの一実施例を示す正面図である。
【図２】本ハンドカバーの使用時の図である。
【図３】本ハンドカバーの使用時の図である。
【図４】本ハンドカバーの収納時の図である。
【考案を実施するための形態】
【０００９】以下、本考案を実施するための形態について説明する。
ハンドカバーの布地は汚れが付着しにくい（レザー等）素材からなり、一端側にひも状の固定具とボタンが、反対側にボタンと着脱自在であり接合可能なひも状の固定具が付いており、ブレスのような形状である。
本考案は、以上のような構造である。
【実施例】
【０００１０】これを使用するときは、接合されているボタン状固定具とひも状を外し、折り畳まれた布地を開き手の平にあてて使用する。
使用後は、布地を切れ目に沿って折り畳み、手首に巻きつけ、ボタン状の固定具をひも状の固定具に引っ掛ける。
次回使用するときも、同様に固定具を外し、手の平に布地をあて、使用後は手首に巻き付けておく。不衛生となった部分が内側に折り畳まれるため手首に触れることなく、繰り返しバッグなどから取り出し、しまう手間もなくなる。また、直接持つのが躊躇われる物を持つ際にも使用できる。
【産業上の利用可能性】
【０００１１】
【符号の説明】
【０００１２】Ａハンドカバー本体図
Ｂハンドカバー使用図
１手首挿入部
２留め具
３留め具２
４結合部
５右手
【図１】
0003232995.tif 000003
【図２】
0003232995.tif 000004
【図３】
0003232995.tif 000005
【図４】
0003232995.tif 000006
【手続補正書】
【提出日】令和3年3月31日(2021.3.31)
【手続補正１】
【補正対象書類名】実用新案登録請求の範囲
【補正対象項目名】全文
【補正方法】変更
【補正の内容】
【実用新案登録請求の範囲】
【請求項１】
表面と裏面からなる手の平を覆うことが出来る程度のサイズの布地と、手首に固定する着脱自在な固定具と手首に巻きつけた後に固定する結合自在な固定具を有するハンドカバーであって、
前記布地の一端に着脱自在な固定具を、もう一端にはひも状の固定具が連結されており、表面には前記ひも状の固定具と結合自在な固定具を有し、
手首に着衣し前記ひも状の固定具と結合自在な固定具を結合させ環状とすることで、手首に固定した状態で容易に形状変化が可能なハンドカバー。
【請求項２】
前期布地の裏面に指の方向に切り目が入っていて、使用時に布地を広げ表面を手の平に当て、使用時以外は裏面の切り目部分で内側に折り手首に巻きつけることが可能であることを特徴とする請求項１に記載のハンドカバー。
(57)【要約】      （修正有）【課題】眼鏡フレームのフロントとテンプルを結ぶ蝶番を付け替え可能にすることで、デザインの組み合わせができることを目的とする。またフロント、蝶番、フレームのそれぞれの接着面を工夫することで、眼鏡を使用する視力の弱い人でもドライバー等の精密機器を使わずに容易に付け替え可能とすることを目的とするものである。さらに蝶番の素材、形状を工夫することで、顔幅に適したフィッティングを実現する眼鏡を提供する。【解決手段】蝶番つまりフロントとテンプルをつなぐ部分の素材を弾性が高い成型樹脂にし、外面と内面にそれぞれ一定の間隔で凹部を要する形状にする。フロントとテンプルに接する両端を凸状の形状にし、フロントの蝶番との接着面、およびテンプルと蝶番との接着面をそれぞれ凹状にする。蝶番の凸部３をテンプル凹部１とフロント凹部２にはめ込むことで、３つの部品をつなぎ合わせることができる。【選択図】図６
0003232996.tif 000002
【実用新案登録請求の範囲】
【請求項１】
眼鏡のフロント部分とテンプル部分をつなぐ部分、つまり蝶番を付け替えられるようにすることで、デザインの組み合わせが容易にでき、かつ素材を工夫することで、弾力性があり、さまざまな顔幅に対応できるようにした眼鏡。
【請求項２】
蝶番の外面凹部のすべてまたは一部の底部を円形状にすることで、マスク等の紐をひっかけられるようにした特徴をもつ請求項１の蝶番。
【考案の詳細な説明】
【技術分野】
【０００１】本考案は眼鏡のフロントの形状とテンプル部分、及びそれらをつなげる蝶番の形状、材質を工夫することで、柔軟性のある眼鏡を実現する。
【考案の概要】
【考案が解決しようとする課題】
【０００２】  眼鏡のテンプルや蝶番を違う色に付け替えることでファッションを楽しみたいと考えている人は多い。しかし、ネジや精密ドライバーを使用せねばならず、度付矯正眼鏡や老眼鏡などの場合、眼鏡をかけながら作業はできない為、視力が悪い場合、付け替え作業は困難である。【０００３】  眼鏡をかけながらマスクをすると耳への負担が大きい。眼鏡の一部分にマスクをひっかけられるようにすることで耳への負担を軽減できる。
【考案が解決するための手段】
【０００４】  蝶番部分つまりフロントとテンプルをつなぐ部分の素材を柔らかい成型樹脂にし、フロントに凹状に切れ目を入れる。かつテンプルにも同様に切れ目を入れる。成型樹脂の両先端を凸状にしてテンプルとフロントにはめ込むことで、３つの部品を容易につなぎ合わせることができる。この成型樹脂はテンプル及びフロントとの厚みとほぼ等しいことが望ましい。
【０００５】  蝶番の形状は外面と内面に交互に凹凸があり、カーブを付けることで、テンプルを内側に巻き込むことができる。また外面凹部の底部を円状にすることで、マスクなどの紐で引っ張る力が働いても円の中に紐が収まるため、取れにくくなる。
【考案の効果】
【０００６】  テンプルとフロントを蝶番の取り外しがドライバーなど精密機器を使用しなくても容易になり、パーツ交換等の作業がしやすくなる。さらにこの蝶番は弾性が高いため様々な顔幅でも顔面に対して適度な付勢力を与えることができる。また衝撃を吸収し、顔の安全に一定の役割を果たす。
【０００７】  蝶番外面凹部の底面部の円の部分にマスクの紐をひっかけることで、マスク着用時の耳への負担を軽減できる。
【図面の簡単な説明】
【０００８】
【図１】テンプル側の蝶番に接する部分の平面図である
【図２】フロント側の蝶番に接する部分の平面図である
【図３】フロント側の蝶番に接する部分の立体図である
【図４】フロントとテンプルをつなぐ蝶番の立体図である
【図５】フロントとテンプルと蝶番の部材をつなぎ合わせ際の立体図である
【図６】完成品の立体図である
【考案を実施するための形態】
【０００９】以下、本考案の実施の形態を図示に基づいて説明する。［図１］の１はテンプル側の凹部である。［図２］の２はフロント側の凹部の正面図である。［図３］の２はフロント側の凹部の立体図である。［図４］の３は丁番部分の凸部である。４は蝶番外面の凹部の底部の円状の図である。１と２にそれぞれ３を差し込むことができる。また４はマスク等の紐をひっかけても外れにくいよう円状であることが望ましい。［図５］はフロントの凹部とテンプルの凹部と蝶番の凸部をはめる際の立体図である。［図６］フロントとテンプルと蝶番をつなぎ合わせた立体図である。
【００１０】以上のように本考案にかかるテンプル、蝶番、フロントを組み合わせた眼鏡はパーツ交換が容易である。蝶番の弾性が高いため様々な顔幅でも顔面に対して適度な付勢力を与えることができ、適したフィッティングを体験することができる。
【符号の説明】１  テンプル凹部
２  フロント凹部
３  蝶番の凸部
４  蝶番外面の凹部の底面部
【図１】
0003232996.tif 000003
【図２】
0003232996.tif 000004
【図３】
0003232996.tif 000005
【図４】
0003232996.tif 000006
【図５】
0003232996.tif 000007
【図６】
0003232996.tif 000008
【手続補正書】
【提出日】令和3年3月31日(2021.3.31)
【手続補正１】
【補正対象書類名】実用新案登録請求の範囲
【補正対象項目名】全文
【補正方法】変更
【補正の内容】
【実用新案登録請求の範囲】
【請求項１】
眼鏡のフロント部分の凹部（２）とテンプル部分の凹部（１）それぞれに取り付けられるように凸部（３）を有し、かつ外面と内面に交互に凹凸を入れることで弾力性を高めた眼鏡用の蝶番。
【請求項２】
蝶番の外面凹部のすべてまたは一部の底部を円形状にすることで、マスク等の紐をひっかけられるようにした特徴をもつ請求項１の蝶番。
(57)【要約】      （修正有）【課題】体に付着したウィルス菌を短時間で遠紫外線を照射して殺菌する装置を提供する。【解決手段】パレット床材１の中央の開口に遠紫外線ＬＥＤ球２を入れ、グレーチングで蓋をして、ＢＯＸ柱４に遠紫外線ＬＥＤ球と人感センサースイッチ５と電源トランス６を取り付けて配線する。内部壁と天井に反射材７を、外部に耐水板材８を貼る。必要に応じて非接触体温検知器９を設置する。【選択図】図１
0003232827.tif 000002
【実用新案登録請求の範囲】
【請求項１】
ＢＯＸ装置に立った状態で他者と非接触で全身の表面を除菌する装置
【請求項２】
靴部分とか手部分とかＢＯＸのサイズを変えてかも原理については同一
【考案の詳細な説明】
【考案の詳細な説明】
【０００１】無人除菌装置
【産業上の利用分野】
この考案は、遠紫外線照射反射除菌ＢＯＸ装置を製作し無人で人と接近することなく短時間で全身の表面を除菌できる。
【背景技術】
【０００２】コロナ禍、従来建物に入る際アルコール噴霧で手を消毒をそしてアルコールをしみこませたマットで靴底を除菌して病院や会館などに入室していました。
【考案が解決しようとする課題】
【０００３】      これは次のような欠点があった。
（イ）消毒アルコールが体質に合わない人がいるまた靴皮がひびわれた。
（ロ）消毒アルコール濃度６５パーセント未満で除菌力がないものもあった。
本考案は、この欠点を除くためになされたものである。
【課題を解決するための手段】
【０００４】人に無害でウィルス菌を死滅させる遠紫外線波長２２２ｎｍ±１０ｎｍの光を各方向から人感スイッチで照射して靴裏や衣服やマスク表面に付着したウィルス菌を１０秒で除菌する装置を製作し使用する。
【作用】
【０００５】土足使用の建物においては靴を傷めず靴の裏についた菌を除菌するため建物内への付着菌の持ち込みを防ぐことが出来る。
病院や店舗においては人件費のコストダウンがはかれる。
耐アルコール菌に対しても有効となる。
【実施例】
【０００６】      以下、本案の実施例にて説明する。
（イ）バレット床材（１）に中央の開口に遠紫外線ＬＥＤ球（２）を入れる。
（ロ）バレット床材（１）に中央の開口をグレーチング（３）でふたをする。
（ハ）ＢＯＸ柱（４）の中段と上段に紫外線ＬＥＤ球（２）を取り付ける。
（ニ）ＢＯＸ柱（４）の上段に人感センサースイッチ（５）を設置する。
（ホ）ＢＯＸ柱（４）の下段に電源トランス（６）設置して配線をする。
（ヘ）ＢＯＸ柱（４）間２面壁と天井に反射板（７）を取り付ける。
（ト）外部を耐水板材（８）で覆う。
（チ）病院など必要に応じてＢＯＸ柱（４）に非接触体温検知器（９）を付ける。
【考案の効果】
【０００７】グレーチング（３）上に立つと下からの遠紫外線で靴裏を痛めずに２足同時に除菌できる。
土足履き建物においては外からの新型コロナウィルス菌の靴からの進入を防げる。
【図面の簡単な説明】
【図１】本考案の斜視図である。
【図２】本考案の断面図である。
【符号の説明】１  パレット
２  遠紫外線ＬＥＤ球
３  グレーチング
４  ＢＯＸ柱
５  人感センサースイッチ
６  電源トランス
７  反射材
８  耐水板材
９  非接触体温検知器
【図１】
0003232827.tif 000003
【図２】
0003232827.tif 000004
【手続補正書】
【提出日】令和3年3月10日(2021.3.10)
【手続補正１】
【補正対象書類名】実用新案登録請求の範囲
【補正対象項目名】全文
【補正方法】変更
【補正の内容】
【実用新案登録請求の範囲】
【請求項１】
グレーチングの上に立つと人感センサーが作動し遠紫外線が照射され靴裏と衣服の表面の付着菌を除菌する装置でパレット内部に人感センサースイッチを取付けてグレーチングの上に立つと靴裏を下から遠紫外線の照射で除菌する靴裏部分除菌装置。
(57)【要約】      （修正有）【課題】ベッド上での採尿困難を解消するために、尿の受け口が動く男性用尿器を提供する。【解決手段】尿器本体１と、尿の受け口２とを有し、尿の受け口２を尿器本体１の差し込み口３に差し込み、尿の受け口２が動く構造とする。【選択図】図１
0003232824.tif 000002
【実用新案登録請求の範囲】
【請求項１】
尿の受け口（図（２））を設け尿器本体（図（１））の差し込み口（図（３））に差し込み尿の受け口（図（２））が動く構造
【請求項２】
尿器本体（図（１））の差し込み口（図（３）に差し込んだ尿の受け口（図（２））を尿が漏れない角度で左右に動く構造
【考案の詳細な説明】
【技術分野】
【０００１】尿器の受け口（図（２））を尿器本体（図（１））の（差し込み口（図（３））に差し込み左右に動く構造
【背景技術】
【０００２】ベツト上での採尿困難を解消するため
【考案が解決しようとする課題】
【０００３】採尿される患者の安心感と看護師の労苦の解消のため尿器の早急な改善を要する
【課題を解決するための手段】
【０００４】患者の手短な問題の解決の考えや、医療従事者の卒直な改善意見を取り上げる制度を各職場に設け良とするものについては実行する
【図面の簡単な説明】
【０００５】
【図１】側面図  （１）は尿器本体  （２）は尿の受け口  （３）は尿器本体の差し込み口
【図２】正面図  （１）は尿器本体  （２）は尿の受け口  （３）は尿器本体の差し込み口
【図１】
0003232824.tif 000003
【図２】
0003232824.tif 000004
【手続補正書】
【提出日】令和3年2月24日(2021.2.24)
【手続補正１】
【補正対象書類名】実用新案登録請求の範囲
【補正対象項目名】全文
【補正方法】変更
【補正の内容】
【実用新案登録請求の範囲】
【請求項１】
尿器本体（１）と、尿の受け口（２）とを有し、尿の受け口（２）を尿器本体（１）の差し込み口（３）に差し込み、尿の受け口（２）が動く構造を特長とする尿器。
【請求項２】
尿器本体（１）と尿の受け口（２）を有し、寝台上で尿器本体（１）の差し込み口（３）に差に差し込み、尿の受け口（２）が尿が漏れない角度で左右に動く構造を特長どする男性用尿器。
(57)【要約】      （修正有）【課題】新型コロナウイルスが蔓延している現状において飲食店での食事中マスクをつけたり外したりする煩わしさを解消する飲食店用感染防止マスクを提供する。【解決手段】ヘアバンド２の一方にくの字型棒パイプ３を差し込み他方のくの字棒パイプの先端と感染防止素材シート７の保持棒５は連結止めで連結しており、連結部４は回動可動とし、ヘアバンド２には滑り止めが取り付けられる構成とする。【選択図】図３
0003232803.tif 000002
【実用新案登録請求の範囲】
【請求項１】
ヘアバンドの一方にくの字型の棒パイプを差し込み、前記くの字型棒パイプの他方先端は、連結止めを介して保持棒と回動可能に連結する連結部を有し、前記保持棒に感染防止素材シートを取り付け、前記ヘアバンドと前記くの字型棒パイプは３６０度回転し、前記ヘアバンドには滑り止めが付いていることを特徴とする飲食店用感染防止マスク。
【考案の詳細な説明】
【技術分野】
【０００１】  本考案の飲食店用感染防止マスクは、飲食店での食事に用いるマスクに関するものである。
【背景技術】
【０００２】  新型コロナウイルスによる感染で特に問題とされているのは飲食店での食事である。飲食店ではアクリル板等で仕切るなどして努力をし、客側もマスクをつけたり外したりしている。
飲食店での食事はアクリル板で仕切られたりマスクをつけたり、煩わしいものである。
【考案の概要】
【考案が解決しようとする課題】
【０００３】  新型コロナウイルスが蔓延している現状において飲食店での食事中マスクをつけたり外したりする煩わしさを解消する。
【課題を解決するための手段】
【０００４】  本考案の飲食店用感染防止マスクは、ヘアバンドの一方にくの字型の棒パイプを差し込み、前記くの字型棒パイプの他方先端は、連結止めを介して保持棒と回動可能に連結する連結部を有し、前記保持棒に感染防止素材シートを取り付け、前記ヘアバンドと前記くの字型棒パイプは３６０度回転し、前記ヘアバンドには滑り止めが付いていることを特徴とする。
【考案の効果】
【０００５】  本考案は飲食店で食事をする時マスクをつけたり外したりする煩わしさがなく、左右兼用なので便利であり、感染防止素材シートは、使い捨てできるので、清潔を保てる。
【図面の簡単な説明】
【０００６】
【図１】飲食店用感染防止マスクを正面から見た図
【図２】飲食店用感染防止マスクを分解した図
【図３】飲食店用感染防止マスクに感染防止素材シートをつけた図
【図４】飲食店用感染防止マスクを使用している図
【図５】飲食店用感染防止マスクを使用して食事中の図
【考案を実施するための形態】
【０００７】  本考案は新型コロナウイルスが蔓延する現状の中、マスクをつけたり外したりせずに食事を楽しむものである。そのためにワンタッチで装着できるヘアバンドになっている。
【０００８】  本考案の飲食店用感染防止マスクは、ヘアバンドになっており、その一方にくの字型の棒パイプが差し込まれ、くの字型の棒パイプの他方の先端には顔面と平行に感染防止素材シートの保持棒と連結しており、連結部は可動する飲食店用感染防止マスクである。
【０００９】  図１は本考案の飲食店用感染防止マスクを正面から見た図であり、図２は分解構成部を、図３は感染防止素材シートを保持棒に取り付けた状態を示す。
本考案の飲食店用感染防止マスクの構成は、図１〜図２に示すように、飲食店用感染防止マスク１は、飲食店用感染防止マスク１、ヘアバンド２、くの字型棒パイプ３、連結部４、保持棒５、滑り止め６から構成され、図３に示すように、保持棒５には感染素材防止シート７が取り付けられている。
【００１０】  ヘアバンド２の一方にくの字型棒パイプ３を差し込み他方の棒パイプの先端と感染防止素材シート７の保持棒５は連結止め８で連結しており、連結部４は回動可動とし、ヘアバンド２には滑り止め６が取り付けられている。
【００１１】  図４、図５に示すように、飲食店用感染防止マスクは飲食店用感染防止マスクであって飲食店用感染防止マスクを装着する時は、感染防止素材シートを保持棒に取り付ける。保持棒は顔面と平行で顔面と接触しない位置にあり、口と鼻を覆う高さである。また、くの字パイプは３６０度回転可能でヘアバンドの左右どちらにも差し替えることができる。食事中は保持棒を外側へ軽く押すことで鼻と口から外れ、感染防止シートは邪魔にならない。
ヘアバンドには滑り止めが取り付けられており安心して使用できる。
【符号の説明】
【００１２】１  飲食店用感染防止マスク
２  ヘアバンド
３  くの字型棒パイプ
４  連結部
５  保持棒
６  滑り止め
７  感染素材防止シート
８  連結部止め
【図１】
0003232803.tif 000003
【図２】
0003232803.tif 000004
【図３】
0003232803.tif 000005
【図４】
0003232803.tif 000006
【図５】
0003232803.tif 000007
(57)【要約】      （修正有）【課題】食べ物の粉末が指先に付着しないおりがみぱくぱく紙ナプキンを提供する。【解決手段】おりがみぱくぱく紙ナプキンは、紙ナプキンの折りたたまれた形状をおりがみぱくぱく折りにして、使用するときはおりがみぱくぱくに広げて、おやつの食べ物を紙ナプキンでつかむことを可能にすることにより、食べ物の粉末が容易に指先に付着してこないことに役立つ。【選択図】図１
0003232801.tif 000002
【実用新案登録請求の範囲】
【請求項１】
紙ナプキンの折りたたまれた形状をおりがみぱくぱく折りにしたところを特徴とする紙ナプキン
【考案の詳細な説明】
【技術分野】
【０００１】  本考案は、紙ナプキンの折りたたまれた形状をおりがみぱくぱく折りにした、紙ナプキンに関するものである。
【背景技術】
【０００２】  従来の紙ナプキンは、ティッシュペーパーやキッチンペーパーなどの四角い紙製ナプキンを四つ折りとか六つ折りに折りたたまれたものであった。したがって、デスクワーカーやドライバー等が紙ナプキンを使用するとき、これ等の人々はオフィスデスクや車中で仕事をしていることが多いので、おやつを食べると、食べ物の粉末が指先に付着するので、紙ナプキンでふき取っていた。
【先行技術文献】
【特許文献】
【０００３】
【特許文献１】実用新案登録第３２２０３６２号公報
【特許文献２】実用新案登録第３１１９９７０号公報
【考案の概要】
【考案が解決しようとする課題】
【０００４】  紙ナプキンでふき取ることは、食べ物の粉末が指先に残るので、気持ちが悪く、できたら手洗いしたかった。したがって、紙ナプキンの折りたたまれた形状をおりがみぱくぱく折りにすることにより、おやつをおりがみぱくぱくに広げた紙ナプキンでつかむことが可能になり、前述の欠点を解決しようとするものである。
【課題を解決するための手段】
【０００５】  本考案は、紙ナプキンの折りたたまれた形状をおりがみぱくぱく折りにすることにより、おやつをおりがみぱくぱくに広げた紙ナプキンでつかむことを可能にし、問題点を解決している。
【考案の効果】
【０００６】  上述のように、本考案のおりがみぱくぱく紙ナプキンは、紙ナプキンの折りたたまれた形状をおりがみぱくぱく折りにしたので、おやつの食べ物をおりがみぱくぱくに広げた紙ナプキンでつかむことができ、食べ物の粉末が容易に指先に付着してこないので快適である。
【図面の簡単な説明】
【０００７】
【図１】本考案のおりがみぱくぱく紙ナプキンのおりがみぱくぱく折りに折りたたまれた構造の斜視図である。
【図２】本おりがみぱくぱく紙ナプキンのおりがみぱくぱくに広げた構造の斜視図である。
【図３】本おりがみぱくぱく紙ナプキンのおりがみぱくぱくに広げたところの背面図である。
【図４】本おりがみぱくぱく紙ナプキンの完全に広げたところの平面図である。
【考案を実施するための形態】
【０００８】  以下、本考案の実施の形態について説明する。
四角い紙製ナプキンを本おりがみぱくぱく紙ナプキンの形状に折りたたむ。本考案は以上のような構成である。
【実施例】
【０００９】  本考案を使用するときは、折りたたまれた本おりがみぱくぱく紙ナプキンの内側に指を入れて広げる。親指、人差し指、中指、薬指と小指を入れて形を整える。本おりがみぱくぱく紙ナプキンの内側に親指、人差し指、中指、薬指と小指を入れておやつの食べ物をつかむことができる。
また、本おりがみぱくぱく紙ナプキンを完全に広げてお手ふきに使用してもよい。
【符号の説明】
【００１０】  １  ぱくぱく口先部
２  ぱくぱく指差し入れ口部
【図１】
0003232801.tif 000003
【図２】
0003232801.tif 000004
【図３】
0003232801.tif 000005
【図４】
0003232801.tif 000006